(57)【要約】【課題】放射性セシウム含有物質（例えば焼却灰）から放射性セシウム）を分離し、濃縮回収することによって放射性セシウム含有物質中の放射性セシウム濃度を低減し得る方法を提供することを目的とする。【解決手段】放射性セシウム除去方法は、放射性セシウム含有物質から放射性セシウムを洗浄液で抽出し、抽出された放射性セシウム含有の洗浄液を、２以上の吸着手段に通液することで放射性セシウムを当該吸着手段に吸着させ、最上流側の吸着手段にのみ溶離液を通液することで当該最上流側の吸着手段に吸着された放射性セシウムを溶離し、溶離された放射性セシウム含有の溶離液を再利用する。【選択図】図１
2019211418.tif 000002
【特許請求の範囲】
【請求項１】
放射性セシウム含有物質から放射性セシウムを洗浄液で抽出する抽出工程と、
前記抽出工程で抽出された放射性セシウム含有の洗浄液を、直列に配置された２以上の吸着手段に通液することで放射性セシウムを当該吸着手段に吸着させる吸着工程と、
前記吸着手段の内、直前の吸着工程において最上流側の吸着手段にのみ、溶離液を通液することで当該最上流側の吸着手段に吸着された放射性セシウムを溶離する溶離工程と、
前記溶離工程で吸着手段から溶離された放射性セシウム含有の溶離液を回収溶離液槽に貯留する仮貯留工程と、
前記仮貯留工程で貯留されている回収溶離液の放射能濃度が所定濃度以下の場合まで、当該回収溶離液を前記溶離工程で繰り返し使用し、高濃度放射性セシウム含有の回収溶離液を得る繰返工程と、
前記仮貯留工程で貯留されている高濃度放射性セシウム含有の回収溶離液の放射能濃度が所定濃度を超えた場合に、当該高濃度放射性セシウム含有の回収溶離液を固定化剤に吸着させる溶離液固定化工程と、を含む、放射性セシウム含有物質から放射性セシウムを除去する方法。
【請求項２】
前記溶離工程における溶離後の吸着手段を洗浄する吸着手段洗浄工程と、さらに含む、請求項１に記載の方法。
【請求項３】
前記溶離工程における溶離後の吸着手段が最下流側に配置されるように、吸着手段間の前記放射性セシウム含有の洗浄液の通液ラインを切替える通液ライン切替工程と、を含む、請求項１または２に記載の方法。
【請求項４】
前記抽出工程で抽出された放射性セシウム含有の洗浄液を洗浄液槽に貯留する洗浄液貯留工程を含み、
次の溶離工程前に予め行う工程であって、洗浄液槽で測定される放射能濃度と各吸着手段で測定される放射能濃度に基づいて、次の吸着工程で前記吸着手段に吸着される放射性セシウム量を算出し、次の溶離工程で溶離する放射性セシウムの溶離液中の放射能濃度を予め算出する第１算出工程と、
前記回収溶離液槽で測定される放射能濃度と、前記第１算出工程で算出された溶離液中の放射能濃度とを加算することで、次の溶離工程後の前記回収溶離液槽の溶離液中の放射能濃度を算出する第２算出工程と、を含み、
前記繰返工程は、前記第２算出工程で算出された放射能濃度が所定濃度を超えていなければ、回収溶離液での溶離工程を繰り返す、請求項２に記載の方法。
【請求項５】
前記抽出工程は、
洗浄容器内で、放射性セシウム含有物質を中性またはアルカリ性の洗浄液で洗浄し、放射性セシウムを洗浄液中に抽出する洗浄工程と、
前記洗浄工程で得られた放射性セシウム含有の洗浄液から固形分をろ過手段で分離する固液分離工程と、を含む、請求項１に記載の方法。
【請求項６】
前記抽出工程は、前記洗浄工程前に、放射性セシウム含有物質を予め破砕する破砕工程を含み、
前記洗浄工程は、前記破砕工程で破砕された放射性セシウム含有物質を洗浄液で洗浄する、請求項５に記載の方法。
【請求項７】
前記抽出工程は、
洗浄容器内で、放射性セシウム含有物質を酸性の洗浄液で洗浄し、放射性セシウムを洗浄液中に抽出する洗浄工程と、
前記洗浄工程で得られた放射性セシウム含有の洗浄液から固形分を分離する固液分離工程と、
前記固液分離工程で固形分が分離された洗浄液を中和処理する中和工程と、を含む、請求項１に記載の方法。
【請求項８】
前記抽出工程は、前記洗浄工程前に、予め放射性セシウム含有物質を破砕する破砕工程を含む、請求項７に記載の方法。
【請求項９】
前記抽出工程は、
放射性セシウム含有の浸出水から固形分を分離する固液分離工程と、
前記固液分離工程で固形分が分離された浸出水を中和処理する中和工程と、を含む、請求項１に記載の方法。
【請求項１０】
前記吸着工程で使用される前記２以上の吸着手段は、中性およびアルカリ性で放射性セシウムを吸着し、酸性で放射性セシウムを脱離する構成であり、
前記溶離工程で使用される前記溶離液は、酸性であり、
前記吸着手段洗浄工程で使用される吸着手段用洗浄液は、中性またはアルカリ性である、請求項５〜９のいずれか１項に記載の方法。
【請求項１１】
前記洗浄工程において、前記洗浄容器にキレート剤を添加して洗浄する、および／または、前記洗浄容器から前記ろ過手段までの液送ライン上でキレート剤を添加する、請求項５に記載の方法。
【請求項１２】
前記洗浄工程において、放射性セシウム含有物質と洗浄液とを所定時間攪拌した後に、攪拌を停止し、前記洗浄容器の底部に沈降した放射性セシウム含有物質の放射能濃度が所定値以下の場合に、再び攪拌してスラリー状の洗浄液を得た後、スラリー状の洗浄液を前記ろ過手段に液送し前記固液分離工程を行い、前記所定値を超えた場合には、洗浄工程を繰り返す、請求項５に記載の方法。
【請求項１３】
前記洗浄工程において、放射性セシウム含有物質と洗浄液とを所定時間攪拌した後に、攪拌を停止し、前記洗浄容器の底部に沈降した放射性セシウム含有物質の放射能濃度が所定値を超えた場合に、洗浄条件を変更し再び洗浄工程を行い、
前記洗浄条件は、洗浄液量を増加、攪拌時間の延長、攪拌速度の変更、洗浄液を加温して攪拌、洗浄液を変更する処理の内から一つまたは２以上を組み合わせることを特徴とする、請求項１２に記載の方法。
【発明の詳細な説明】
【技術分野】
【０００１】
本発明は、放射性物質含有物質から放射性セシウムを除去するための方法に関する。
【背景技術】
【０００２】
放射性セシウムに汚染された廃棄物を焼却すると、放射性セシウムが焼却主灰や焼却飛灰に濃縮される。これら焼却灰は、放射性セシウムの濃度が８０００Ｂｑ／ｋｇ以下であれば、通常の管理型埋立処分場にて埋立処分することができる。しかし、焼却灰、特に焼却飛灰中の放射性セシウム濃度は、８０００Ｂｑ／ｋｇを超えることが多く、また、埋立処分場近隣の住民感情から８０００Ｂｑ／ｋｇを下回る焼却灰でも埋立処分することができない状況も大いに想定される。
【０００３】
例えば、焼却灰中の放射性セシウムの多くは、塩化セシウムなどの水に可溶な形態で存在している場合が多い。したがって、焼却灰を水洗し、固液分離することによって液層に放射性セシウムを移行させることで焼却灰中のセシウムを除去する方法がある。液層に移行した放射性セシウムは、さらに、ゼオライトやプルシアンブルーなどの吸着剤に吸着させ、液層から除去する（以下、「従来方法１」という。）。
【０００４】
また、焼却灰から放射性セシウムを除去する方法として、以下の方法が知られている（特許文献１参照）。この方法では、（１）焼却灰と無機カルシウム化合物又は有機カルシウム化合物との混合物中における無機カルシウム化合物又は有機カルシウム化合物の割合が３質量％以上３０質量％となるように無機カルシウム化合物又は５００℃以上の酸化雰囲気下で酸化カルシウムを生成する有機カルシウム化合物を添加し、さらに焼却灰と無機カルシウム化合物又は有機カルシウム化合物との混合物の質量に対して０．５質量％を超え１０質量％以下となるように塩化ナトリウムを添加する添加工程と、（２）１０００℃以上１２００℃以下で３０分以上１２０分以下の時間加熱処理することにより、前記添加工程後の焼却灰から放射性セシウムを揮発させる加熱工程と、（３）加熱工程によって焼却灰から揮発した放射性セシウムを回収する回収工程と、を有する。
【０００５】
また、放射性セシウム汚染飛灰の処理システムが知られている（特許文献２参照）。このシステムは、ゼオライト系吸着剤又は珪チタン酸系吸着剤が充填された第１カラムと、輸送されてきた飛灰抽出液を前記第１カラムの始端に入力させる第１配管と、フェロシアン系吸着剤が充填された第２カラムと、前記第１カラムの終端と前記第２カラムの始端とを接続する第２配管とを備える。
【先行技術文献】
【特許文献】
【０００６】
【特許文献１】特開２０１４−１７４０９０
【特許文献２】特開２０１５−１４４７
【発明の開示】
【発明が解決しようとする課題】
【０００７】
上記従来方法１は、焼却飛灰を水洗浄等によって埋立処分が可能なレベルまで放射性セシウムを除去した際に、重金属の溶出を防止するために、固液分離後に得られる洗浄飛灰にキレート剤を添加する。固液分離後の洗浄飛灰に均一にキレート剤を混合するには新たに混合槽を設置する必要がある（キレート処理の問題点）。
【０００８】
また、飛灰中に含まれる放射性セシウムを水洗浄により抽出した場合には、スラリーをフィルタプレス等の装置へ搬送し固液分離する。この工程後に得られた洗浄飛灰が８０００Ｂｑ／ｋｇを超えた場合、もしくは８０００Ｂｑ／ｋｇ以下であっても目標とする濃度レベルまで洗浄飛灰の放射能濃度が下がらなかった場合には、洗浄飛灰を飛灰洗浄槽へ返送して再度水洗浄等により処理する。そのため、操作が煩雑となるだけでなく、設備費の上昇を招く（洗浄工程の問題点）。
【０００９】
また、飛灰洗浄液中の放射性セシウムはゼオライトやプルシアンブルーなどの吸着剤によって吸着除去される。吸着処理後、放射性セシウムは吸着剤と共に放射性物質汚染廃棄物として処分されるが、吸着処理する飛灰洗浄液中のセシウム濃度によって当該廃棄物の放射能濃度が変動するため、所望の放射能濃度に調整することが難しい（濃縮倍率の調整の問題点）。
【００１０】
また、飛灰洗浄液中の放射性セシウムをそのままの状態（液体）で密閉容器等に保管することもできるが、長期的な視点で考えると容器の亀裂・破損に伴う漏洩のリスクがさけられない。そのため、飛灰洗浄液をゼオライト等の吸着剤で処理し、放射性セシウムを固相に移行させることが行われている。しかし、この方法では吸着処理後に固相（吸着剤）も廃棄しなければならないため、減容化の観点からは最適な方法とは言い難い（溶離液の固化方法の問題点）。
【００１１】
上記問題に鑑みて、本発明は、放射性セシウム含有物質（例えば焼却灰）から放射性セシウム）を分離し、濃縮回収することによって放射性セシウム含有物質中の放射性セシウム濃度を低減し得る方法を提供することを目的とする。
【課題を解決するための手段】
【００１２】
本発明の放射性セシウム含有物質から放射性セシウムを除去する方法は、
放射性セシウム含有物質から放射性セシウムを洗浄液で抽出する抽出工程と、
前記抽出工程で抽出された放射性セシウム含有の洗浄液を、直列に配置された２以上の吸着手段に通液することで放射性セシウムを当該吸着手段に吸着させる吸着工程と、
前記吸着手段の内、直前の吸着工程において最上流側の吸着手段にのみ、溶離液を通液することで当該最上流側の吸着手段に吸着された放射性セシウムを溶離（脱離）する溶離工程と、
前記溶離工程で吸着手段から溶離された放射性セシウム含有の溶離液（回収溶離液）を回収溶離液槽に貯留する仮貯留工程と、
前記仮貯留工程で貯留されている回収溶離液の放射能濃度が所定濃度以下の場合まで、当該回収溶離液を前記溶離工程で繰り返し使用し、高濃度放射性セシウム含有の回収溶離液（放射性セシウムの濃度が濃縮された溶離液、以下「濃縮回収溶離液」とも称することがある。）を得る繰返工程（「濃縮工程」と称することがある。）と、
前記仮貯留工程で貯留されている高濃度放射性セシウム含有の回収溶離液の放射能濃度が所定濃度を超えた場合に、当該高濃度放射性セシウム含有の回収溶離液を固定化剤に吸着させる溶離液固定化工程と、を含む。
前記吸着手段は、放射性セシウムの選択性が高く、吸着および脱着が可能な吸着剤を有する構成であることが好ましい。
【００１３】
この構成によれば、２以上の吸着手段を直列に配置することで、上流側の吸着手段ほど多くの放射性セシウムが吸着される。そのため、吸着手段から放射性セシウムを溶離（脱離）する際には、上流側の吸着手段にのみ溶離処理のための洗浄を行う。これにより、洗浄時間を短縮することができる。
【００１４】
また、本発明の方法は、
前記溶離工程における溶離後の吸着手段を洗浄する吸着手段洗浄工程をさらに含んでいてもよい。
【００１５】
また、本発明の方法は、
前記溶離工程における溶離後の吸着手段が最下流側に配置されるように、吸着手段間の前記放射性セシウム含有の洗浄液の通液ラインを切替える通液ライン切替工程をさらに含んでいてもよい。
【００１６】
また、次の吸着工程において、最上流側の吸着手段が最下流に配置され、直前の吸着工程で第２番目に上流側に配置されていた吸着手段が最上流側の吸着手段となるように、通液ラインが切り替わる。これによって、上流側の吸着手段ほど、放射性セシウムがより多く吸着されることになり、溶離工程においては放射性セシウムがより多く吸着されている最上流側の吸着手段を溶離処理（放射性セシウムの脱離処理）することになるため、吸着効率を高めることができると共に、全ての吸着手段に対し溶離処理をするよりも時間短縮され、溶離効率も高くできる。
【００１７】
また、本発明の方法は、溶離処理（放射性セシウムの脱離処理）中において、それ以外の吸着手段で、吸着処理（工程）を実行するように構成してもよい。各吸着手段は通液ライン（配管）でつながれ、この通液ライン（配管）上にバルブが設けられており、上記処理が可能なように通液ラインを切り換える構成である。１の吸着手段で溶離処理を実行している間も、他の吸着手段で吸着処理を行える。
【００１８】
上記繰返工程によって、回収した溶離液（以下「回収溶離液」と称することがある。）を再度溶離液として利用することで、回収溶離液槽に仮貯留された回収溶離液を、そのまま再利用せずに廃棄する場合にくらべ、放射性廃棄物量を低減できる（減容化できる）。繰り返し使用することで、回収溶離液中の放射性セシウム濃度を繰り返し回数に比例して高めることできる。溶離液（回収溶離液）の利用回数としては、予め実験した結果から設定することが好ましい、例えば２以上１０回以下が好ましい。溶離液（回収溶離液）を繰り返し使用することで、溶離液の使用量を削減でき、さらに溶離液中の放射性セシウム濃度（濃度範囲）を任意に調整することができる。
【００１９】
上記溶離液固定化工程によれば、高濃度の放射性セシウム含有の回収溶離液（濃縮回収溶離液）をそのままの状態または中和処理後に固定化剤と接触させ、放射性セシウムを固定化剤に吸着させる。これにより放射性セシウムを安定化、固定化させることができる。固定化剤としては、例えば、ゼオライト、プルシアンブルーなどのセシウムを吸着して固定化するものが好ましい。固定化剤への吸着（固定化）は、カラムのような通液タイプの方法でもよい。濃縮回収溶離液と吸着剤を攪拌機またはポンプ等で固液攪拌する方法がより好ましい。これら固定化剤に、洗浄工程後の洗浄液中のセシウムをそのまま吸着させるよりも、濃縮回収溶離液中のセシウムを吸着させた方が固定化剤の使用量が少なくて済み、最終廃棄物の減容化を図ることができる。洗浄液をそのままゼオライトに吸着する場合には、ゼオライトにアルカリ金属（Na、K）も吸着されるため、セシウムの吸着量が少なくなる（吸着性能が低い）。一方、濃縮回収溶離液の場合は、競合するアルカリ金属が少ないためセシウムを効率よく吸着できる。また、液状の放射性セシウムを固定化することで、漏洩リスクも軽減できる。
【００２０】
また、本発明の方法は、前記抽出工程で抽出された放射性セシウム含有の洗浄液を洗浄液槽に貯留する洗浄液貯留工程を含んでいてもよい。
【００２１】
また、本発明の方法は、次の溶離工程前に予め行う工程であって、洗浄液槽で測定される放射能濃度（Ｓｖ０）と各吸着手段で測定される放射能濃度（Ｓｖi：ｉ＝１〜ｎ個（吸着手段の個数））に基づいて、次の吸着工程で前記吸着手段に吸着される放射性セシウム量を算出（予測）し、次の溶離工程で溶離される（であろう）放射性セシウムの溶離液中の放射能濃度（Ｓｖ（ｎ＋１））を予め算出（予測）する第１算出工程と、
前記回収溶離液槽の放射能濃度（Ｓｖ（ｎ＋２））と、前記第１算出工程で算出された溶離液の放射能濃度（Ｓｖ（ｎ＋１））とを加算することで、次の溶離工程後の前記回収溶離液槽の溶離液の放射能濃度（Ｓｖ（ｎ＋２）’）を算出する第２算出工程と、を含み、
前記繰返工程は、前記第２算出工程で算出された放射能濃度（Ｓｖ（ｎ＋２）’）が所定濃度を超えていなければ、回収溶離液での溶離工程を繰り返す。
前記所定濃度は、放射能遮蔽構造によって異なる設定を用いてもよく、例えば、遮蔽構造の外側で作業者の被曝線量が２５μＳｖ/ｈを超えないように設定してもよい。
【００２２】
また、前記繰返工程において、所定回数（例えば実験値から求める）繰り返した場合に、または前記第２算出工程で算出された放射能濃度が所定濃度を超えた場合に、次の溶離工程は、新しい溶離液を用いる。新しい溶離液を溶離液槽（あるいは新しい回収溶離液槽）に投入する。新しい溶離液で溶離処理（工程）をする場合には、新たに設置された回収溶離液槽に、溶離液を送る。直前の回収溶離液槽の濃縮回収溶離液（所定回数繰り返した回収溶離液または第２算出工程で算出された放射能濃度が所定濃度に達した回収溶離液）は、溶離液固定化工程に供される。
【００２３】
洗浄液槽（好ましくはその下部）、各吸着手段（好ましくはその通液出口部、その出口側配管）、回収溶離液槽（好ましくはその下部）のそれぞれに、空間線量計または放射能濃度計を設置する。予め空間線量計と放射能濃度計の指示値の相関関係を求め、空間線量計の指示値を放射能濃度に換算する。
【００２４】
例えば、吸着手段を３つとした場合の繰返工程について説明する。３つの吸着手段を直列に配置し、通液の上流側から吸着手段をＫ１、Ｋ２、Ｋ３とし、それぞれの放射能濃度の指示値をＳｖ１、Ｓｖ２、Ｓｖ３とする。第1吸着処理において、吸着手段は上流側からＫ１、Ｋ２、Ｋ３の順番で通液されるように通液ラインが構成される。各ラインに設置された各仕切弁を自動または手動で開または閉にすることで通液ラインを構成することができる。
例えば、第ｍ回目溶離工程前（あるいは第ｍ回目吸着工程前、つまり第（ｍ−１）回目溶離工程後）において、第ｍ回目吸着工程前（第ｍ−１回目吸着工程後）の洗浄液槽で測定される放射能濃度（Ｓｖ０）と各吸着手段（Ｋ１、Ｋ２、Ｋ３）で測定される放射能濃度（Ｓｖ１、Ｓｖ２、Ｓｖ３）との積算値から、各吸着手段に吸着される放射性セシウム量を算出し、第ｍ回目溶離工程後の溶離液の放射能濃度（Ｓｖ４）を算出する。次いで、回収溶離液槽の回収溶離液の放射能濃度（Ｓｖ５）と上記放射能濃度（Ｓｖ４）とを加算し、第ｍ回目溶離工程後の回収溶離液槽の回収溶離液の放射能濃度（Ｓｖ５’）を算出する。
【００２５】
（溶離液中の放射性セシウムの濃度調整）
洗浄液層、回収溶離液槽、各吸着手段には、例えば放射能濃度計が設置される。
（１）抽出工程後の洗浄液槽（洗浄液）の放射能濃度：Ａ［Ｂｑ/ｋｇ］
洗浄液の通液量：Ｂ［ｋｇ］
（２）各吸着手段の出口の放射能濃度：Ｃ［Ｂｑ/ｋｇ］
（３）回収溶離液槽（回収溶離液）の放射能濃度：Ｔa［Ｂｑ/ｋｇ］
ここで、1回あたりの放射性セシウムの吸着量Ｘは、
Ｘ＝（Ａ−Ｃ）×Ｂ［ｋｇ］
吸着量Ｘから回収溶離液中放射能濃度を算出する。これは第ｍ回目溶離工程前に行う。
（４）第ｍ回目溶離工程前に算出された回収溶離液中の放射能濃度Tｍは、
Tm＝（Ｅ×Ｄ＋Ｘ）÷Ｄ
ここで、ｍ（1〜ｎ）回目の放射性セシウムの吸着量は、（Ａｍ−Ｃｍ）×Ｂｍ［ｋｇ］、第ｍ回目溶離工程後の回収溶離液槽の回収溶離液の量：Ｄ［ｋｇ］、第ｍ回目溶離工程前（第ｍ−１回目溶離工程後）の回収溶離液槽の溶離液の量：Ｅ［ｋｇ］である。
次いで、放射能濃度計で測定される回収溶離液槽の放射能濃度（Ｔa）と回収溶離液中の放射能濃度Tm（（Ｅ×Ｄ＋Ｘ）÷Ｄ）を加算して、第ｍ回目溶離工程後の回収溶離液槽内の放射能濃度Tｓを算出する。
そして、回収溶離液槽内の放射能濃度Tｓが、所定の濃度に達するまで、回収溶離液を再利用してもよい。放射能濃度Tｓが、所定の濃度に達したら、新しい回収溶離液を吸着手段に通液し、溶離工程後に別の容器に回収してもよい。
以上の操作により、回収溶離液槽内の放射能濃度を所望の濃度レベルに調整できる。
【００２６】
また、次の溶離工程前において、最上流側の吸着手段（次の溶離工程に供される吸着手段）の吸着工程後の放射能濃度と、次の溶離工程に使用される（回収溶離液槽中の）回収溶離液の放射能濃度とを加算することで、次の溶離工程後の回収溶離液槽の回収溶離液の放射能濃度を求めてもよい。放射能濃度は、吸着手段と溶離液回収槽に設置された放射能濃度計または空間線量計に基づいて求める。
【００２７】
また、前記抽出工程は、洗浄容器内で、放射性セシウム含有物質を中性からアルカリ性（ｐＨ７以上、実質的にｐＨ７以上）の洗浄液で洗浄し、放射性セシウムを洗浄液中に抽出する洗浄工程と、前記洗浄工程で得られた放射性セシウム含有の洗浄液から固形分をろ過手段（例えばフィルタープレス装置）で分離する固液分離工程と、を含んでいてもよい。
【００２８】
上記放射性セシウム含有物質は、例えば、焼却飛灰、溶融飛灰などである。洗浄工程は、洗浄容器内で、放射性セシウム含有物質を洗浄液で所定時間攪拌することが好ましい。所定時間は予め実験的に求めていてもよく、スラリー状態を目視またはカメラで撮像した画像から判断することでもよい。固形分は固形分回収槽に回収される。固形分は、埋め立て処理されうる。
【００２９】
この構成によれば、中性からアルカリ性の洗浄液中に放射性セシウムを抽出させ、その後、固形分（またはＳＳ分）を分離する。洗浄工程前の放射性セシウム含有物質の放射性セシウム量を１００％としたとき、分離された固形分中の放射性セシウム量が２０％以下、好ましくは１５％以下、より好ましくは１０％以下になることが好ましい。放射能濃度を測定することで、放射性セシウム量を算出することができる。固形分は固形分回収槽に回収される。固形分は、埋め立て処理される。
【００３０】
また、前記抽出工程は、前記洗浄工程前に、放射性セシウム含有物質を予め破砕する破砕工程を含んでいてもよく、前記洗浄工程は、前記破砕工程で破砕された放射性セシウム含有物質を洗浄液で洗浄してもよい。
【００３１】
この構成によれば、上記放射性セシウム含有物質は、粒径が数ｃｍ〜数十ｃｍ以上の固形物の形状であり、例えば、キレート処理飛灰、セメント固化処理飛灰などである。破砕処理をすることで、放射性セシウムを洗浄液中に効果的に抽出できる。
【００３２】
また、前記抽出工程は、洗浄容器内で、放射性セシウム含有物質を酸性の洗浄液で洗浄し、放射性セシウムを洗浄液中に抽出する洗浄工程と、前記洗浄工程で得られた放射性セシウム含有の洗浄液から固形分を分離する固液分離工程と、前記固液分離工程で固形分が分離された洗浄液を中和処理（またはアルカリ処理）する中和工程（またはアルカリ化工程）と、を含んでいてもよい。中和工程（またはアルカリ化工程）は、例えば、洗浄液槽において、洗浄液をｐＨ測定器で測定し、測定結果に応じて中和剤（またはアルカリ剤）を充填し、攪拌混合し、ｐＨ調整することで行われる。
【００３３】
この構成によれば、放射性セシウム含有物質として例えば、汚泥焼却灰、土壌の場合に、酸性の洗浄液で洗浄する。また、放射性セシウム含有物質として例えば、粒径が数ｃｍ〜数十ｃｍ以上の固形物（例えば主灰）の場合には、前記洗浄工程前に、予め放射性セシウム含有物質を破砕する破砕工程が行われることが好ましい。吸着工程で使用される吸着剤が中性からアルカリ性でセシウムを吸着し、酸性で溶離する構成である場合に、固形分が分離された後の洗浄液を中和処理（またはアルカリ化処理）する必要がある。
【００３４】
また、前記抽出工程は、放射性セシウム含有の浸出水から固形分を分離する固液分離工程と、前記固液分離工程で固形分が分離された浸出水を中和処理する中和工程と、を含んでいてもよい。
【００３５】
この構成によれば、放射性セシウム含有の浸出水から固形分（例えばＳＳ分）を分離した後、酸性であればｐＨ調整してから吸着工程を実行する。浸出水は、例えば、廃棄物処分場などで、汚泥、廃棄物が分解して雨水と共に浸出してくる汚水をいう。
【００３６】
また、前記吸着工程で使用される前記２以上の吸着手段は、中性からアルカリ性で放射性セシウムを吸着し、酸性で放射性セシウムを脱離する構成でもよく、前記溶離工程で使用される前記溶離液は、酸性でもよく、前記吸着手段洗浄工程で使用される吸着手段用洗浄液は、中性またはアルカリ性でもよい。また、別実施形態として、吸着手段の吸着剤が酸性で放射性セシウムを吸着し、中性からアルカリ性で放射性セシウムを脱離する構成であり、前記溶離液は中性からアルカリ性であり、前記吸着手段用洗浄液は酸性である。
【００３７】
この構成によれば、吸着手段の吸着剤としては、クラウンエーテル（例えば、ジベンゾ２０-クラウン６-エーテル）が水溶性セシウムを選択的に吸着するために好ましい。他の吸着剤としては、例えば、ゼオライト、プルシアンブルー、フェロシアン化（ニッケル、コバルト、鉄）物の造粒物などがある。しかし、ゼオライトは、セシウム以外のナトリウムやカリウムも同時に吸着されるため選択吸着性に劣り、また繰り返し使用ができない。プルシアンブルーは、セシウムを選択吸着するが、繰り返し使用ができない。ｐＨ変動で吸着脱離を切り替えられる吸着剤を選定することが好ましい。
【００３８】
また、前記洗浄工程において、前記洗浄容器にキレート剤を添加して洗浄する、および／または、前記洗浄容器から前記ろ過手段までの液送ライン上でキレート剤を添加するキレート処理工程を含んでいてもよい。
キレート剤は、放射性セシウム含有物質の１００重量％に対し５〜１０重量％を添加することが好ましい。キレート剤の性状は特に制限されず、液状または粉状が例示される。液体キレートと紛体キレートとの両方を添加することが好ましい。洗浄容器と液送ラインの両方に添加する場合には、洗浄容器へ添加する量を多く、全添加量の５１〜８０％量を添加することが好ましい。液送ラインに添加されたキレート剤は、配管中でスラリーと混合攪拌される。
【００３９】
この構成によれば、洗浄容器でキレート剤も同時に攪拌混合するため、別にキレート剤を混合するための混合容器および攪拌装置を設置する必要がない。キレート剤が添加されたスラリーを固液分離するため、新たに固液分離された固形分にキレート剤を添加することなしに、重金属の溶出を抑止できる。
【００４０】
また、前記洗浄工程において、放射性セシウム含有物質と洗浄液とを所定時間攪拌した後に、攪拌を停止し、前記洗浄容器の底部に沈降した放射性セシウム含有物質の放射能濃度が所定値（例えば8000Bq/Kg）以下の場合に、再び攪拌してスラリー状の洗浄液を得た後、スラリー状の洗浄液を前記ろ過手段に液送し前記固液分離工程を行い、所定値（例えば8000Bq/Kg）を超えた場合には、洗浄工程を繰り返してもよい。
【００４１】
また、前記洗浄工程において、放射性セシウム含有物質と洗浄液とを所定時間攪拌した後に、攪拌を停止し、前記洗浄容器の底部に沈降した放射性セシウム含有物質の放射能濃度が所定値（例えば8000Bq/Kg）を超えた場合に、洗浄条件を変更し再び洗浄工程を行ってもよく、
前記洗浄条件は、洗浄液量を増加、攪拌時間の延長、攪拌速度の変更、洗浄液を加温して攪拌、洗浄液を変更する（例えば、中性水、弱アルカリ性水、弱酸性水、酸性液の洗浄液）処理の内から一つまたは２以上を組み合わせることを特徴としていてもよい。
【００４２】
洗浄容器の下部の内部または外壁に、空間線量計（Ｓｖ/ｈ）または放射能濃度計（Ｂｑ/ｋｇ）を設置し、沈降している放射性セシウム含有物質の空間線量計または放射能濃度計の指示値を測定する。空間線量計が設置されている場合は、予め測定した空間線量と放射能濃度の相関関係に基づいて放射能濃度を換算する。また、放射能濃度の湿物質（例えば湿焼却灰）と乾燥物質（例えば乾燥焼却灰）の測定値の換算係数に基づいて、沈降している放射性セシウム含有物質の乾燥した状態での放射能濃度を算出することが好ましい。上記算出された放射能濃度または放射能濃度計の指示値が、所定値（８０００Ｂｑ/ｋｇ）以下の場合に、再度攪拌してスラリー状にした洗浄液を後段の固液分離手段（ろ過手段）に液送する。一方、算出された放射能濃度または放射能濃度計の指示値が所定値（８０００Ｂｑ/ｋｇ）を超えた場合あるいは所定の放射能濃度まで除去できなかった場合は、スラリー状の洗浄液を固液分離手段に送らず、再度洗浄処理を行う。再度洗浄処理を行う場合には、洗浄条件を変更することが好ましい。
【００４３】
（効果）
以上記載の通り、本発明によれば、放射性セシウム含有物質（例えば焼却灰）から放射性セシウム）を分離し、濃縮回収することによって放射性セシウム含有物質中の放射性セシウム濃度を効果的に低減することが可能となる。
【図面の簡単な説明】
【００４４】
【図１】実施形態１に係る放射性セシウム除去システムの全体構成を示す図である。
【図２Ａ】吸着、溶離、洗浄の各工程の繰返処理について説明するための図である。
【図２Ｂ】吸着、溶離、洗浄の各工程の繰返処理について説明するための図である。
【図２Ｃ】吸着、溶離、洗浄の各工程の繰返処理について説明するための図である。
【図３Ａ】吸着、溶離、洗浄の各工程の繰返処理について説明するための図である。
【図３Ｂ】吸着、溶離、洗浄の各工程の繰返処理について説明するための図である。
【図３Ｃ】吸着、溶離、洗浄の各工程の繰返処理について説明するための図である。
【図４Ａ】吸着、溶離、洗浄の各工程の繰返処理について説明するための図である。
【図４Ｂ】吸着、溶離、洗浄の各工程の繰返処理について説明するための図である。
【図４Ｃ】吸着、溶離、洗浄の各工程の繰返処理について説明するための図である。
【図５】構造体を説明するための図である。
【発明を実施するための形態】
【００４５】
（全体システムの構成）
図１は、放射性セシウム除去システムの全体構成を示す図である。洗浄容器１１内で、放射性セシウム含有物質（例えば、焼却飛灰）と洗浄水（本実施形態では水を使用する）とを投入し、攪拌装置１２で所定時間（例えば、６０〜１２０分）攪拌混合し、放射性セシウムを洗浄水中に抽出する（洗浄工程）。配合比として、放射性セシウム含有物質：洗浄水は、１：５〜１０である。洗浄容器１１からろ過機１５へ放射性セシウム含有の洗浄水が送られ、固形分と水分とをろ過機１５で分離する（固液分離工程）。ろ過機１５で分離された固形分は、固形分回収槽１６に送られ、放射性セシウム含有の洗浄液は洗浄液槽１７に送られる。固形分は、埋め立て処理される。
【００４６】
（洗浄工程）
上記洗浄工程において、洗浄容器１１に、液体キレートと紛体キレートとの両方を添加する。液体キレートおよび紛体キレートは、放射性セシウム含有物質の１００重量％に対し５〜１０重量％を添加する。液体キレートと紛体キレートの配合比は、キレート全量を１０とした時に液体：紛体＝４〜２：６〜８である。
【００４７】
洗浄容器１１の下部の外壁に、空間線量計（Ｓｖ/ｈ）１３が設置される。所定時間後の攪拌混合後に攪拌を停止する。所定時間経過後に洗浄容器１１の底部に沈降した放射性セシウム含有物質の放射能濃度を算出する。沈降している放射性セシウム含有物質の空間線量計の指示値を測定する。予め測定した空間線量と放射能濃度の相関関係に基づいて放射能濃度を換算する。また、放射能濃度の湿物質（例えば湿焼却灰）と乾燥物質（例えば乾燥焼却灰）の測定値の換算係数に基づいて、沈降している放射性セシウム含有物質の乾燥した状態での放射能濃度を算出する。上記算出された放射能濃度が、８０００Ｂｑ/ｋｇ以下の場合に、再度攪拌してスラリー状にした洗浄液を後段のろ過機１５に液送する。一方、算出された放射能濃度が８０００Ｂｑ/ｋｇを超えた場合は、スラリー状の洗浄水をろ過機１５に送らず、再度洗浄処理を行う。本実施形態では、直前の攪拌時間と同じ時間の攪拌を行う。攪拌速度も同じである。なお、別実施形態として、洗浄条件を変更する場合がある。洗浄液量を増加、攪拌時間の延長、攪拌速度の変更、洗浄液を加温して攪拌、洗浄液を変更する（例えば、中性水、弱アルカリ性水、弱酸性水、酸性液の洗浄液）処理の内から一つまたは２以上を組み合わせて行う。
【００４８】
洗浄液槽１７に貯留された放射性セシウム含有の洗浄水（中性からアルカリ性）は、吸着手段２０に送られる。吸着手段２０は、吸着剤（クラウンエーテル系吸着剤）が充填された３つのカラムで構成される。第１カラム２１、第２カラム２２、第３カラム２３が直列に配置されて、洗浄水を各カラムに順に通液することで吸着剤に放射性セシウムを吸着する（第１吸着工程、図２Ａ参照）。各カラムを通過した洗浄水（セシウム除去処理水）は、処理済槽４３に送られ、排水処理される。洗浄液槽１７、第１カラム２１、第２カラム２２、第３カラム２３、処理済槽４３へ順に通液する通液ラインが構成される。
【００４９】
溶離液槽３０の溶離液（酸性）を第１カラム２１に通液し（第１溶離工程、図２Ｂ参照）、回収溶離液槽４０に送る（仮貯留工程）。通液する前に、第１カラム２１から第２カラム２２までの通液ラインを閉じ、かつ第１カラム２１から回収溶離液槽４０に送るための通液ラインＬ１を開ける（通液ライン切替工程）。溶離液として、例えば、0.1〜2.0Ｍの塩酸溶液を用いる。また、塩酸の代わりに硝酸、硫酸でもよい。カラム出口（通液ラインＬ１上）の回収溶離液のｐＨが５未満になるように溶離液のｐＨ濃度を設定する。回収溶離液槽４０は、後述する構造体５２で遮蔽をすることが好ましい。回収溶離液槽４０の外表面線量が2.5μＳｖ/ｈ未満であることが好ましい。
【００５０】
第１溶離工程の後に、第１カラム２１の洗浄を行う（第１カラム洗浄工程、図２Ｃ参照）。カラム用洗浄液槽３２から水（またはアルカリ液）を第１カラム２１に通液し、回収槽３３に送る。洗浄前に、溶離液槽３０との通液ラインと通液ラインＬ１を閉じ、カラム用洗浄液槽３２、第１カラム２１、回収槽３３までの通液ラインを開ける。水の代わりのアルカリ液としては、例えば、ＮａＯＨ、ＮａＨＣＯ３である。
【００５１】
（繰返工程の説明）
第１カラム洗浄工程後の第２吸着工程の前に各通液ラインを切り替える。図３Ａに示すように、洗浄液槽１７、第２カラム２２、第３カラム２３、第１カラム２１、処理済槽４３の順に通液する通液ラインを構成する。他の通液ラインは閉じられている。第２吸着工程では、洗浄水を、各カラムに順に通液することで吸着剤に放射性セシウムを吸着する（図３Ａ参照）。
【００５２】
次いで、第２溶離工程の前に各通液ラインを切り替える。図３Ｂに示すように、回収溶離液槽４０から通液ラインＬ２を通じて溶離液槽３０に回収溶離液が送られる。溶離液槽３０、第２カラム２２、回収溶離液槽４０の順に回収溶離液を通液する通液ラインを構成する。他の通液ラインは閉じられている。第２溶離工程では、溶離液槽３０から回収溶離液（酸性）を第２カラム２２に通液し、回収溶離液槽４０に送る。回収溶離液を再利用するため、溶離液中の放射性セシウムの濃度が再利用の回数に比例して高くなる。
【００５３】
次いで、第２カラム洗浄工程の前に各通液ラインを切り替える。図３Ｃに示すように、カラム用洗浄液槽３２、第２カラム２２、回収槽３３の順にカラム用洗浄液を通液する通液ラインを構成する。他の通液ラインは閉じられている。第２カラム洗浄工程では、カラム用洗浄液槽３２から水（またはアルカリ液）を第２カラム２２に通液し、回収槽３３に送る。
【００５４】
第２カラム洗浄工程後の第３吸着工程の前に各通液ラインを切り替える。図４Ａに示すように、洗浄液槽１７、第３カラム２３、第１カラム２１、第２カラム２２、処理済槽４３の順に通液する通液ラインを構成する。他の通液ラインは閉じられている。第３吸着工程では、洗浄水を、各カラムに順に通液することで吸着剤に放射性セシウムを吸着する（図４Ａ参照）。
【００５５】
次いで、第３溶離工程の前に各通液ラインを切り替える。図４Ｂに示すように、回収溶離液槽４０から通液ラインＬ２を通じて溶離液槽３０に回収溶離液が送られる。溶離液槽３０、第３カラム２３、回収溶離液槽４０の順に回収溶離液を通液する通液ラインを構成する。他の通液ラインは閉じられている。第３溶離工程では、溶離液槽３０から回収溶離液（酸性）を第３カラム２３に通液し、回収溶離液槽４０に送る。回収溶離液を再利用するため、溶離液中の放射性セシウムの濃度が再利用の回数に比例して高くなる。
【００５６】
次いで、第３カラム洗浄工程の前に各通液ラインを切り替える。図４Ｃに示すように、カラム用洗浄液槽３２、第３カラム２３、回収槽３３の順にカラム用洗浄液を通液する通液ラインを構成する。他の通液ラインは閉じられている。第３カラム洗浄工程では、カラム用洗浄液槽３２から水（またはアルカリ液）を第３カラム２３に通液し、回収槽３３に送る。
【００５７】
さらに吸着、溶離、カラム洗浄工程を繰り返す場合には、再び第１カラム２１が最上流に配置され、上記の態様で処理が行われる。
【００５８】
また、別実施形態として、吸着手段のカラム本数は上記の３本に限定されず、２本、４本以上でもよい。また、溶離液槽３０と回収溶離液槽４０は上記のとおり別体でもよいが、同一の槽で構成してもよい。
【００５９】
（回収溶離液中のセシウム濃度調整）
回収溶離液の再利用回数および回収溶離液中のセシウム濃度を調整する方法について説明する。本実施形態では、次の吸着工程で吸着されかつ溶離工程で溶離される放射性セシウム濃度を予め予測することで、次の溶離工程においても回収溶離液を再利用するか否かを決定する。すなわち、セシウム濃度（放射能濃度）を調整する。
【００６０】
洗浄液槽１７の下部に洗浄液用空間線量計１８、第１カラム２１の通液出口部に第１空間線量計２４、第２カラム２２の通液出口部に第２空間線量計２５、第３カラム２３の通液出口部に第３空間線量計２６、回収溶離液槽の下部に第４空間線量計４１が設置される。予め空間線量計と放射能濃度計の指示値の相関関係を求め、空間線量計の指示値を放射能濃度に換算する。
【００６１】
第ｍ回溶離工程前（あるいは第ｍ回吸着工程前）において、第ｍ回吸着工程前の洗浄液槽１７の洗浄液用空間線量計１８に基づいて算出された放射能濃度（Ｓｖ０）と各カラム（２１、２２、２３）の第１、第２、第３空間線量計（２４、２５、２６）に基づいて算出された放射能濃度（Ｓｖ１、Ｓｖ２、Ｓｖ３）との積算値から、次の吸着工程で各カラムに吸着する放射性セシウム量を算出する。次いで、この放射性セシウム量から、第ｍ回溶離工程後の（回収）溶離液中の放射能濃度（Ｓｖ４）を算出する。次いで、回収溶離液槽４０の第４空間線量計４１に基づいて算出された放射能濃度（Ｓｖ５）と上記で算出された放射能濃度（Ｓｖ４）とを加算し、第ｍ回溶離工程後の回収溶離液槽４０の回収溶離液中の放射能濃度（Ｓｖ５’）を算出する。
【００６２】
例えば、第３回溶離工程前に、第３回吸着工程前の洗浄液槽１７の洗浄液用空間線量計１８に基づいて算出された放射能濃度（Ｓｖ０）と各カラム（２１、２２、２３）の第１、第２、第３空間線量計（２４、２５、２６）に基づいて算出された放射能濃度（Ｓｖ１、Ｓｖ２、Ｓｖ３）との積算値から、次の吸着工程で第３カラム２３に吸着する放射性セシウム量を算出する。次いで、この算出された放射性セシウム量から、第３回溶離工程後の（回収）溶離液中の放射能濃度（Ｓｖ４）を算出する。次いで、回収溶離液槽４０の第４空間線量計４１に基づいて算出された放射能濃度（Ｓｖ５）と上記で算出された放射能濃度（Ｓｖ４）とを加算し、第３回溶離工程後の回収溶離液槽４０内の回収溶離液中の放射能濃度（Ｓｖ５’）を算出（予測）する。この算出された放射能濃度（Ｓｖ５’）が所定濃度（例えば、８０００Ｂｑ/ｋｇ）を超えたか否かを判定する。判定結果が、所定濃度を超えていなければ、第３回溶離工程においても、回収溶離液を再利用する。一方、判定結果が、所定濃度を超えていれば第３回溶離工程では、新しい溶離液を用いる。これまでの回収溶離液槽４０の回収溶離液は、その回収溶離液槽４０に貯留されたまま、溶離液固化工程に供される。そして、新しい回収溶離液槽が設置される。
【００６３】
（溶離液固定化工程）
溶離液固定化工程では、回収溶離液槽４０に貯留された高濃度放射性セシウム含有の回収溶離液（高濃度回収溶離液）を固定化剤に吸着させる。濃縮回収溶離液を固定化剤（ゼオライト）入りのカラム（溶離液固定化手段５０）に通液させて放射性セシウムを固定化剤に吸着させ固定化する。セシウムが吸着されたカラムは、濃縮セシウム貯留槽５１に貯留される。
【００６４】
（構造体）
上記濃縮セシウム貯留槽５１、回収溶離液槽４０、溶離液固化手段５０は、複数の構造体５２で囲まれ、放射能が遮断される。
【００６５】
構造体５２は、外観が直方体であり、流体を導入するため、天頂部に開口部５２１が形成され、開口部５２２と連続して空洞５２３が形成されている。空洞５２３は、４つの側壁および底壁５２１で取り囲まれた構成である。任意の側壁５２１の下部に液体を排出するための排出部５２４が設けられている。排出部５２４は、空洞５２３へ通じており、不図示のバルブを備える。
【００６６】
空洞５２３に液体が収納され、貯留槽５１を取り囲む。液体を投入する手段は、特に制限されない。液体が水の場合、水道水を投入してもよい。例えば、蛇口にホースの一方口を連結し、ホースの他方口を開口部５２２に向けて、あるいは空洞５２３にホースを挿入して、水を投入してもよい。液体が入ったタンクとポンプとをつないで、ポンプを用いて液体を投入してもよい。
【００６７】
液体としては、放射線、特に放射線セシウムを遮蔽する機能を有し、水よりも比重の重い液体でもよく、例えば、シリコンオイルでもよい。
【００６８】
構造体52を撤去する場合、排出部１４のバルブを開放し、液体を排出する。この場合、排出部５２４にホースなどの管を接続し、所定の排出エリアへ液体を排出させることが好ましい。
【００６９】
構造体５２は、ポリ塩化ビニル、繊維強化プラスチック、または薄鋼板の材料で構成される。薄鋼板は、例えば、３ｍｍ未満の厚みであり、０．３ｍｍ以上３．０ｍｍ未満が好ましく、０．４ｍｍ以上３．０ｍｍ未満がより好ましく、０．５ｍｍ以上３．０ｍｍ未満がさらに好ましい。
上記構造体５２は、直方体に限定されず、平面視で湾曲していてもよい。また、上記実施形態３の円筒状の構造体は、平面視で円状でなくともよく、多角形でもよい。
【００７０】
上記構造体５２と他の放射線遮蔽部材とを組み合わせて構成してもよい。
【００７１】
（別実施形態）
上記実施形態において、空間線量計を用いたが、これに限定されず、放射能濃度計を用いてもよい。
また、粒径が数ｃｍ〜数十ｃｍ以上の固形物の形状の放射性セシウム含有物質の場合は、洗浄工程前に、破砕装置で予め破砕する破砕工程を行ってもよい。
また、洗浄工程は、放射性セシウム含有物質を酸性の洗浄液で洗浄してもよい。
また、固液分離工程で固形分が分離された洗浄液を中和処理（またはアルカリ処理）する中和工程（またはアルカリ化工程）を行ってもよい。
また、放射性セシウム含有の浸出水から固形分を分離し、この固形分が分離された浸出水を中和処理する構成でもよい。
【符号の説明】
【００７２】
１１      洗浄容器
１２      攪拌装置
１５      ろ過機
１６      固形分回収槽
１７      洗浄液槽
２１      第１カラム
２２      第２カラム
２３      第３カラム
３０      溶離液槽
３２      カラム用洗浄液槽
４０      回収溶離液槽
５１      濃縮セシウム貯留槽
５２      構造体
【図１】
2019211418.tif 000003
【図２Ａ】
2019211418.tif 000004
【図２Ｂ】
2019211418.tif 000005
【図２Ｃ】
2019211418.tif 000006
【図３Ａ】
2019211418.tif 000007
【図３Ｂ】
2019211418.tif 000008
【図３Ｃ】
2019211418.tif 000009
【図４Ａ】
2019211418.tif 000010
【図４Ｂ】
2019211418.tif 000011
【図４Ｃ】
2019211418.tif 000012
【図５】
2019211418.tif 000013